(57)【要約】【課題】  液体をボール側に流出させて容易に塗布することができるロールオン容器を提供する。【解決手段】  容器本体３の口部９にボール保持カバー５が装着され、ボール保持カバー５にボール４が外方突出した状態で回転可能に保持され、ボール保持カバー５に液導出口２７が設けられたロールオン容器であって、容器本体３内に液体１１を吸い上げる液吸引部材３０が設けられ、液吸引部材３０の一端部がボール保持カバー５の液導出口２７に内嵌され、液吸引部材３０の他端側が容器本体３の底部に向けて配置されている。【選択図】図１
2016069065.tif 000002
【特許請求の範囲】
【請求項１】
容器本体（３）の口部（９）に、その上端開口（２５）を塞ぐようにボール保持カバー（５）が装着され、ボール保持カバー（５）にボール（４）が外方突出した状態で回転可能に保持され、ボール保持カバー（５）に容器本体（３）内の液体（１１）をボール（４）側に導出するための液導出口（２７）が設けられたロールオン容器であって、
容器本体（３）内に液体（１１）を吸い上げる液吸引部材（３０）が設けられ、液吸引部材（３０）の一端部がボール保持カバー（５）の液導出口（２７）に内嵌され、液吸引部材（３０）の他端側が容器本体（３）の底部に向けて配置されていることを特徴とするロールオン容器。
【請求項２】
前記液吸引部材（３０）は毛細管現象により容器本体（３）内の液体（１１）を吸い上げるものであることを特徴とする請求項１に記載のロールオン容器。
【請求項３】
ボール保持カバー（５）に、液吸引部材（３０）で吸引して液導出口（２７）から出てくる液体（１１）を容器本体（３）内に戻す液戻し孔（３２）が設けられていることを特徴とする請求項１又は２に記載のロールオン容器。
【請求項４】
ボール（４）に液吸引部材（３０）の一端部が当接されていることを特徴とする請求項１〜３のいずれかに記載のロールオン容器。
【請求項５】
ボール（４）と液吸引部材（３０）の一端部との間に液溜部（３９）が設けられていることを特徴とする請求項１〜３のいずれかに記載のロールオン容器。
【請求項６】
ボール保持カバー（５）の液導出口（２７）の外周側に、液吸引部材（３０）で吸引した液体（１１）がボール（４）の先端側に流出するのを阻止するようにボール（４）が当接する被当接部が設けられていることを特徴とする請求項１〜５のいずれかに記載のロールオン容器。
【発明の詳細な説明】
【技術分野】
【０００１】
本発明は、ボールで所定量ずつ液体を塗布することができるようにしたロールオン容器に関するものである。
【背景技術】
【０００２】
従来のロールオン容器には、容器本体の口部に、その上端開口を塞ぐようにボール保持カバーが装着され、ボール保持カバーにボールが外方突出した状態で回転可能に保持され、ボール保持カバーに容器本体内の液体をボール側に導出するための液導出口が設けられ、ボールで液体を塗布するようにしたものがある（例えば特許文献１）。
また、他の従来のロールオン容器には、容器本体の口部に、ボール保持部を一体に突設し、このボール保持部にボールが外方突出した状態で回転可能に保持され、ボール保持部に容器本体内の液体をボール側に導出するための液導出口が設けられ、ボールで液体を塗布するようにしたものがある（例えば特許文献２）。
【先行技術文献】
【特許文献】
【０００３】
【特許文献１】特開２０１１−２５５９１０号公報
【特許文献２】実公昭６２−３８９２３号公報
【発明の概要】
【発明が解決しようとする課題】
【０００４】
しかし、従来の場合、口部を上に向けてロールオン容器をテーブル等に設置した状態では、容器本体内の液体はボール乃至液導出口から離間しており、このため、液体を顔等に塗布する場合は、その都度、口部が下を向くように容器本体を逆さにして、液体を液導出口からボール側に流出させてボールに液体を付着させる必要があり、液体の塗布が非常に面倒になるという問題があった。
【０００５】
本発明は上記問題点に鑑み、液体を塗布する場合に、容器本体を逆さにする必要がなくなって、液体をボール側に滲み出させて容易に塗布することができるロールオン容器を提供することを目的としている。
【課題を解決するための手段】
【０００６】
本発明における課題解決のための具体的手段は、次の通りである。
この技術的課題を解決する本発明の技術的手段は、容器本体３の口部９に、その上端開口２５を塞ぐようにボール保持カバー５が装着され、ボール保持カバー５にボール４が外方突出した状態で回転可能に保持され、ボール保持カバー５に容器本体３内の液体１１をボール４側に導出するための液導出口２７が設けられたロールオン容器であって、
容器本体３内に液体１１を吸い上げる液吸引部材３０が設けられ、液吸引部材３０の一端部がボール保持カバー５の液導出口２７に内嵌され、液吸引部材３０の他端側が容器本体３の底部に向けて配置されている点にある。
【０００７】
また、本発明の他の技術的手段は、前記液吸引部材３０は毛細管現象により容器本体３内の液体１１を吸い上げるものである点にある。
また、本発明の他の技術的手段は、ボール保持カバー５に、液吸引部材３０で吸引して液導出口２７から出てくる液体１１を容器本体３内に戻す液戻し孔３２が設けられている点にある。
【０００８】
また、本発明の他の技術的手段は、ボール４に液吸引部材３０の一端部が当接されている点にある。
また、本発明の他の技術的手段は、ボール４と液吸引部材３０の一端部との間に液溜部３９が設けられている点にある。
また、本発明の他の技術的手段は、ボール保持カバー５の液導出口２７の外周側に、液吸引部材３０で吸引した液体１１がボール４の先端側に流出するのを阻止するようにボール４が当接する被当接部が設けられている点にある。
【発明の効果】
【０００９】
本発明によれば、ロールオン容器をその口部を上に向けてテーブル等に設置した状態では、容器本体内の液体は液吸引部材によって吸い上げられて、液導出口からボール側に滲み出て、容器本体内の液体がボールに付着するので、液体を塗布する場合に、その都度、口部が下を向くように容器本体を逆さにする必要がなくなり、容器本体を把持してボールの突出側を被塗布部に押し当てて移動させるだけで、液体をボール側に出させて容易に塗布することができる。
【図面の簡単な説明】
【００１０】
【図１】本発明の第１実施形態を示すロールオン容器の正面断面図である。
【図２】図１のＡ−Ａ線断面図である。
【図３】第２実施形態を示すロールオン容器の正面断面図である。
【図４】第３実施形態を示すロールオン容器のボールを省略した状態の平面断面図である。
【図５】図４のＢ−Ｂ線断面図である。
【発明を実施するための形態】
【００１１】
以下、本発明の実施の形態を図面に基づいて説明する。
図１及び図２は本発明の第１実施形態を示している。図１及び図２において、ロールオン容器１は、容器本体３とボール４を保持するボール保持カバー５とキャップ６とを備えている。
容器本体３は、ポリプロピレン（ＰＰ）等の硬質合成樹脂、ガラス、金属等により構成されて筒状に形成され、肩部８を介して口部９が上方突設されている。口部９は円筒状に形成され、口部９の外周に雄ねじ１０が設けられている。容器本体３内に化粧液や薬液等の液体１１が収納されている。
【００１２】
キャップ６は、ポリプロピレン（ＰＰ）等の硬質合成樹脂製であって、円筒状の胴壁部１３と半球面状の頂壁部１４とを一体に有し、胴壁部１３の内周に雌ねじ１５が形成されている。キャップ６は雄ねじ１０と雌ねじ１５とを介して口部９に着脱自在に螺合され、頂壁部１４はボール４及びボール保持カバー５を上側から覆っている。頂壁部１４の上部内面にボール４を下方に押圧する環状の押圧リブ１７が突設されている。
【００１３】
ボール保持カバー５は、容器本体３よりも柔軟なポリエチレン（ＰＥ）等の合成樹脂で一体に形成され、口部９の上端に当接されるフランジ部２０と、フランジ部２０の内周部から下方突出した円筒状の内嵌壁部２１と、フランジ部２０の内周部から上方突出した円筒状のボール保持部２２とフランジ部２０の内周部から水平方向の内方に突出した閉塞壁部２３とを有している。
【００１４】
ボール保持部２２の先端部は先端に向けて徐々に小径になった先細り状に形成され、ボール保持カバー５の閉塞壁部２３とボール保持部２２との間で、ボール４が外方突出した状態で回転可能に保持されている。
フランジ部２０が口部９の上端に当接されると共に、内嵌壁部２１が口部９の上部に内嵌され、これにより、ボール保持カバー５が容器本体３の口部９にその上端開口２５を塞ぐように装着されている。
【００１５】
ボール保持カバー５の閉塞壁部２３の中央部に、円筒状の保持筒部２６が下方突設され、保持筒部２６の上部に小径部２８が設けられ、この小径部２８の内側に容器本体３内の液体１１をボール４側に導出するための液導出口２７が形成されている。
容器本体３内に液体１１を毛細管現象により吸い上げる液吸引部材３０が設けられている。液吸引部材３０は不織布により構成されており、液吸引部材３０の一端部（上端部）がボール保持カバー５の保持筒部２６に内嵌され、小径部２８で強く嵌合されて、液導出口２７に固定されると共に、ボール４に当接されている。液吸引部材３０の他端側（下端側）が容器本体３の底部に向けて下方に配置されている。
【００１６】
閉塞壁部２３の液導出口２７の外周に、液吸引部材３０で吸引して液導出口２７から滲み出てくる液体１１を容器本体３内に戻す液戻し孔３２が設けられている。液戻し孔３２は液導出口２７の外周に一定間隔をおいて複数個（図例では４個）配置されている。閉塞壁部２３の液導出口２７及び液戻し孔３２の外周側に、円筒状の突出筒部３３が上方に突
設されている。
【００１７】
液導出口２７の上端部が第１被当接部３５とされ、この第１被当接部３５にボール４が液導出口２７の上端開口２５を取り囲むように環状に当接し、液吸引部材３０で吸引した液体１１がボール４の先端側に流出するのを制限するようになっており、ボール４が中栓の役目をしている。
突出筒部３３の上端部が第２被当接部３６とされ、この第２被当接部３６にボール４が液戻し孔３２の外周で液導出口２７の上端開口２５を取り囲むように環状に当接し、液吸引部材３０で吸引した液体１１がボール４の先端側に流出するのを阻止するようになっている。
【００１８】
前記第１実施形態によれば、図１に示すように、口部９を上に向けた状態では、容器本体３内の液体１１は液吸引部材３０によって毛細管現象により吸い上げられ、ボール４に液吸引部材３０の一端部が当接されているので、液体１１が液吸引部材３０の一端部から直接にボール４に供給されて、ボール４の下部に付着させることができる。
液体１１を顔等に塗布する場合、ボール４に液体１１が既に付着しているので、その都度口部９が下を向くように容器本体３を逆さにする必要がなくなり、口部９からキャップ６を取り外して、口部９が上向きになったままでもボール４の先端側を顔等に押し付けながら移動させれば、ボール４の回転に伴ってボール４に付着した液体１１を顔等に容易に塗布することができる。
【００１９】
また、口部９からキャップ６を取り外したままで、口部９を上に向けて容器本体３をテーブル等に設置しておくと、キャップ６を口部９に装着している場合と同様に、容器本体３内の液体１１は液吸引部材３０によって毛細管現象により吸い上げられ、ボール４下部に付着させておくことができる。
このとき、ボール４の重量によって、ボール４の下部が液注入口２７の上端部の第１被当接部３５と突出筒部３３の上端部の第２被当接部３６とにリング状に接当するので、ボール４側に付着した液体１１の一部は、第１被当接部３５でボール４の先端側へ滲み出るのが堰き止められ、第１被当接部３５を超えた液体１１は第２被当接部３６で堰き止められ、液戻し孔３２から流れ落ちて容器本体３内へ戻される。
【００２０】
従って、キャップ６を取り外して容器本体３をテーブル等に設置した状態では、液体１１が第２被当接部３６を超えてボール４の先端側に滲み出るのを確実に防ぐことができ、ボール４の先端側から外部に不測に流れるのを防止できる。
そして、液体１１を再び顔等に塗布する場合、ボール４の下部に液体１１が既に付着しているので、この場合も、その都度口部９が下を向くように容器本体３を逆さにする必要がなくなり、ボール４の先端側を顔等に押し付けながら移動させれば、口部９が上向きになったままでも、液体１１を液導出口２７からボール４に付着させてボール４の回転に伴って顔等に容易に塗布することができる。
【００２１】
また、キャップ６を取り外した状態で、口部９を下に向けると、図１に２点鎖線で示すように、ボール４がボール保持カバー５の先端側に移動して、第１被当接部３５及び第２被当接部３６から離間し、液体１１がボール４の先端側に流出し易くなるが、ボール保持部２２で液体１１の流出が阻止されるので、ボール４の先端側を腕や足等に押し付けながら移動させれば、ボール４の回転に伴って腕や足等に液体１１を容易に塗布することができる。
【００２２】
その後、口部９を上に向けると、ボール保持部２２で堰き止められた液体１１は液戻し孔３２から流れ落ちて容器本体３内へ戻される。
また、塗布の後に、口部９にキャップを装着すると、ボール４が押圧リブ１７を介してキャップ６により下方に押圧されて、ボール４の下部が液注入口２７の上端部の第１被当接部３５にリング状に比較的強く当接するので、容器本体３内の液体１１が第１被当接部３５で堰き止められ、ボール４の先端側から液体１１が外部に不測に流出するのを防止できる。
【００２３】
図３は第２実施形態を示している。図３に示すように、液吸引部材３０の一端部はボール４から下方に離間されており、ボール４と液吸引部材３０の一端部との間に液溜部３９
が設けられている。液溜部３９は保持筒部２６の上部に配置され、ボール４の外周部（下部）が液溜部３９に浸漬されている。その他の点は前記第１実施形態の場合と同様の構成である。
【００２４】
第２実施形態の場合、口部９を上に向けてロールオン容器１をテーブル等に設置した状態では、液吸引部材３０によって毛細管現象により吸い上げられた液体１１は液溜部３９に貯留され、この液溜部３９の上部にボール４の外周部が浸漬され、ここで液体１１がボール４に供給されてボール４に液体１１を付着させておくことができる。
図４及び図５は第３実施形態を示している。図４及び図５に示すように、閉塞壁部２３をボール４の下面に沿う円弧面状に形成すると共に、その上面側に複数の収納凹部４０を放射状に形成している。液吸引部材３０の上端部に閉塞壁部２３の上面に沿って放射状に延びる複数の延長突出部４１を設け、この複数の延長突出部４１を前記収納凹部４０にそれぞれ収納保持して、ボール４の下面に当接させるようにしている。閉塞壁部２３の隣り合う延長突出部４１間に液戻し孔３２が１又は複数個設けられている。
【００２５】
本実施形態の場合、液吸引部材３０の上端部が複数の延長突出部４１を介して広い面積で当接してボール４に液体１１を供給し易くなっている。また、複数の延長突出部４１を収納凹部４０にそれぞれ収納保持することによって、液吸引部材３０の上端部がボール保持カバー５に対して固定されている。
なお、前記実施形態では、ボール保持カバー５に液戻し孔３２が設けられているが、ボール４が被当接部３５，３６に当接することによって液体１１がボール４の先端側に流出するのを十分阻止できる場合等には、ボール保持カバー５の液戻し孔３２を省略するようにしてもよい。
【００２６】
また、前記実施形態では、ボール保持カバー５にボール４が当接する第１被当接部３５と第２被当接部３６とが設けられているが、これに代え、ボール保持カバー５に第１被当接部３５又は第２被当接部３６の一方のみを設けるようにしてもよい。また、ボール保持部２２にボール４が強く嵌合すること等よって、液体１１がボール４の先端側に流出するのを十分阻止できるような場合には、第１被当接部３５及び第２被当接部３６の両方を省略するようにしてもよい。
【００２７】
また、前記実施形態では、液吸引部材３０は不織布により構成されているが、これに代え、液吸引部材３０を、織布や綿製の紐やスポンジその他で液体１１を毛細管現象により吸い上げるように構成してもよい。
また、前記実施形態では、液吸引部材３０は液体１１を毛細管現象により吸い上げるようになっているが、これに代え、液吸引部材３０が毛細管現象以外の圧力その他の吸引力によって容器本体３内の液体１１を吸い上げるようにしてもよい。
【符号の説明】
【００２８】
１      ロールオン容器
３      容器本体
４      ボール
５      ボール保持カバー
９      口部
１１    液体
２５    上端開口
２７    液導出口
３０    液吸引部材
３２    液戻し孔
３９    液溜部
【図１】
2016069065.tif 000003
【図２】
2016069065.tif 000004
【図３】
2016069065.tif 000005
【図４】
2016069065.tif 000006
【図５】
2016069065.tif 000007